(57)【要約】【課題】視聴者が視聴した放送または録音セグメントに関する情報を提供し、所定の時間内にどのセグメントが実際に放送されたかを検出し、視聴者のメディア視聴記録を中央装置に提供し、既存の伝送チャンネル内に隠された情報を符号化伝送により中央装置から受信すること。【解決手段】視聴者に取り付けられた個人用監視装置で、再生された放送あるいは記録音声信号を監視し、発生元を識別する情報を含む監視された音声信号情報を生成する。次に、個人用監視装置から発生元を識別する情報を含む監視された音声信号情報を無線受信機に無線で送信する。次に、発生元を識別する情報を無線受信機から視聴者の住宅に配置された基地局に送信し、基地局から発生元を識別する情報を中央データ処理装置に伝達する。【選択図】図２Ａ
2006197629.tif 000002
【特許請求の範囲】
【請求項１】
視聴者が接した放送あるいは記録信号に関する情報を収集する方法であって、
前記視聴者に取り付けられた個人用監視装置で、再生された放送あるいは記録音声信号を監視し、発生元を識別する情報を含む監視された音声信号情報を生成し、
前記個人用監視装置から前記発生元を識別する情報を含む監視された音声信号情報を無線受信機に無線で送信し、
前記発生元を識別する情報を前記無線受信機から前記視聴者の住宅に配置された基地局に送信し、
前記基地局から前記発生元を識別する情報を中央データ処理装置に伝達する
工程を有する前記方法。
【請求項２】
請求項１に記載の方法であって、前記監視する工程は、
符号化された放送の音声信号の部分を音響的に再生する工程を有し、前記音声信号の部分は符号化された放送の発生元を識別する発生元識別情報とともに符号化されていて、前記方法はさらに、
前記視聴者の身元を示す情報を前記発生元識別情報とともに前記中央データ処理装置に伝達し前記符号化された放送の視聴者を推定する工程を有する前記方法。
【請求項３】
請求項１に記載の方法であって、前記発生元識別情報は、前記放送あるいは記録音声信号の発生元を識別するものである前記方法。
【請求項４】
請求項３に記載の方法であって、さらに前記視聴者の身元を示す情報と前記発生元識別情報とを組み合わせる工程を有する前記方法。
【請求項５】
請求項１に記載の方法であって、前記発生元識別情報は、放送音声信号の発生元と記録音声信号を特定する指示のうちの１つを識別するものであって、前記方法はさらに、前記視聴者の身元と、放送音声信号の発生元と記録音声信号を特定する指示のうちの１つとを関連させるデータを作成する工程を有する前記方法。
【請求項６】
視聴者が接した放送あるいは記録信号に関する情報を収集する装置であって、
前記視聴者に取り付けられた個人用監視装置で、再生された放送あるいは記録音声信号を監視し、発生元を識別する情報を含む監視された音声信号情報を生成する手段と、
前記個人用監視装置から前記発生元を識別する情報を含む監視された音声信号情報を無線受信機に無線で送信する手段と、
前記発生元を識別する情報を、前記無線受信機から前記視聴者の住宅に配置された基地局に送信する手段と、
前記基地局から、前記発生元を識別する情報を中央データ処理装置に伝達する手段と
を有する前記収集する装置。
【請求項７】
請求項６に記載の前記収集する装置であって、前記監視する手段は、
符号化された放送の音声信号の部分を音響的に再生する手段を有し、前記音声信号の部分は符号化された放送の発生元を識別する発生元識別情報とともに符号化されていて、前記収集する装置はさらに、
前記視聴者の身元を示す情報を前記発生元識別情報とともに前記中央データ処理装置に伝達し前記符号化された放送の視聴者を推定する工程を有する前記収集する装置。
【請求項８】
請求項６に記載の前記収集する装置であって、さらに、前記視聴者の身元を示す情報と前記発生元識別情報とを組み合わせる手段を有する前記収集する装置。
【請求項９】
請求項６に記載の前記収集する装置であって、前記発生元識別情報は、放送音声信号の発生元と記録音声信号を特定する指示のうちの１つを識別するものであって、前記収集する装置はさらに、前記視聴者の身元と、放送音声信号の発生元と記録音声信号を特定する指示のうちの１つとを関連させるデータを作成する手段を有する前記収集する装置。
【請求項１０】
視聴者が接している放送信号に関する情報を収集する方法であって、
所定のラジオあるいはテレビ放送圏での放送信号を監視し、
監視された放送信号における第１セグメント識別情報を復号化し、
復号された第１セグメント識別情報を中央データ処理装置に供給し、
視聴者に取り付けられた個人用監視装置で放送信号を監視し、
前記個人用監視装置で監視された放送信号の中の第２セグメント識別情報を復号化し、
復号された前記第２セグメント識別情報を前記中央データ処理装置に供給し、
前記中央データ処理装置において、前記第２セグメント識別情報を前記第１セグメント識別情報と関連付ける
工程を有する前記方法。
【請求項１１】
請求項１０に記載の方法において、前記セグメント識別情報は複数の場所で受信され、該場所のいずれにおいても識別情報が格納できるようにされており、復号化と格納はその場所で行われ、前記方法はさらに格納されたデータを前記複数の場所から前記中央データ処理装置に送信する工程を有する前記方法。
【請求項１２】
視聴者が接している放送信号に関する情報を収集する装置であって、
所定のラジオあるいはテレビ放送圏での放送信号を監視する手段と、
監視された放送信号における第１セグメント識別情報を復号化する手段と、
復号された第１セグメント識別情報を中央データ処理装置に供給する手段と、
視聴者に取り付けられた個人用監視装置で放送信号を監視する手段と、
前記個人用監視装置で監視された放送信号の中の第２セグメント識別情報を復号化する手段と、
復号された前記第２セグメント識別情報を前記中央データ処理装置に供給する手段と、
前記中央データ処理装置において、前記第２セグメント識別情報を前記第１セグメント識別情報と関連付ける手段と
を有する前記収集する装置。
【請求項１３】
請求項１２に記載の前記収集する装置において、前記セグメント識別情報は複数の場所で受信され、該場所のいずれにおいても識別情報が格納できるようにされており、復号化と格納はその場所で行われ、前記収集する装置はさらに格納されたデータを前記複数の場所から前記中央データ処理装置に送信する手段を有する前記収集する装置。
【発明の詳細な説明】
【技術分野】
【０００１】
本発明は、無線や有線や衛星やその他で送る放送や、あらかじめ録音したメディアで配布するビデオや音楽やその他の作品を符号化および復号し、またそれらの視聴を監視することに関する。
【背景技術】
【０００２】
放送セグメントは、生の番組やテープにとった番組やコマーシャルなどを含む。これらのセグメントは、例えば全国放送、特定の地域内放送、予定のない番組枠の穴埋めなど、多様なスケジュールに従って放送される。更にスケジュールされた放送時間は、全国統一放送の場合もあるし、放送者が地域を考慮して変える場合もある。
【０００３】
コマーシャルなどのセグメントが所定のチャンネルでまたは所定の局で実際にいつ放送されたかを独立に検出したいという需要がある。
【０００４】
また、一般に視聴者数に従って放送料金が変わるので、放送セグメントの視聴者を監視したいという需要がある。更に、マーケットリサーチ技術の中には、放送セグメントの度数および／または性質が消費者の購買決定に与える効果を試験するものもある。
【０００５】
放送セグメントの識別を検出する従来の方法はいくつかある。しかしどの方法も複雑である、視聴者に押しつけがましいか（intrusivenss）使いにくいし、雑音の多い環境では誤りが多いなど、限界が少なくとも１つはある。
【０００６】
その１つに、多数の選択された視聴者がそれぞれ視聴した番組の日記をつける方法がある。この方法は、選択された視聴者が自発的にまた適時に協力してくれることが前提である。広告主や広告代理店や放送者は、メディアを視聴したことが回答者の日記に完全には報告されていないのではないかと懸念している。特に、幼児やティーンエージャーや若者がどのようにメディアを視聴したかは十分報告されていないことが調査データから推測される。これらのグループは日記を完全につけることができないか、または日記をつけるのが非常に面倒なので完全な情報を報告しないと考える人もいる。
【０００７】
人が記録することのこのような欠点を避けるために、受動的な記録法が研究された。受動記録法の特徴は、ある装置を設けて視聴者が視聴した放送セグメントを実時間で検出し、この情報を記録して後で中央データ処理装置で検索する、すなわちアップロードすることである。計算機が読める形式で情報を収集するので、受動記録装置を用いるとデータ処理を簡単に行うことができる。受動記録により収集される情報は人間の誤りがないので、この点では信頼性が高い。
【０００８】
小さくて携帯可能な「個人用受動視聴者計器」と呼ぶ装置が提案されている。この装置は人が身につけていて、視聴した放送セグメントを監視するものである。この計器は視聴者が何を決定したかを個人のレベルで見ることができるので、非常に望ましいものである。
【０００９】
受動記録の主な問題は、視聴者が視聴しているセグメントを正しく検知できるかということである。提案されている方式は、放送セグメントを無修正で識別するものと、放送前にセグメントとを修正して識別を容易にするものとがある。
【００１０】
無修正セグメントの識別に用いる１つの方法はパターン認識である。各セグメントを放送の前か後に分析する。その分析した特性がその「放送シグネチャ」を決定する。放送シグネチャの表は各監視局で作成するか、または予め用意されている。その動作は、監視局が放送中のセグメントの特徴を分析して、放送シグネチャのどれかとマッチさせる、すなわちそのパターンを認識する。この方法は比較的複雑な技術を用いているので、実現するのが厄介である。というのは、各監視局は新しいセグメントを導入する度にこれを認識できなければならないからである。
【００１１】
いくつかの識別方法では、放送セグメントを修正して検出装置が認識できるコードを与える方式を用いる。この方式の利点は、新しい放送セグメントを導入する度に監視局を更新する必要がないことである。
【００１２】
米国特許第３，００４，１０４（ヘムブルック（Hembrooke））は、音声帯域の一部（１０００Ｈｚ）の周波数の狭帯域（１０Ｈｚ幅）を所定のコードに従って定時間隔で抑制することを提案している。しかし、視聴者が情報として感知できない程度まで抑制を短くすると、この抑制は周囲のノイズ源から干渉を受けやすい。
【００１３】
また、各セグメントの初めと終わりに狭い帯域幅（１００Ｈｚ）の識別コードで短時間（３秒）だけ可聴周波数の副搬送波を変調することが提案された。この方法は、視聴者の受信が早すぎたり遅すぎたりした場合に計量装置が識別コードを検知することができないことやノイズに弱いことのために、満足なものではない。
【００１４】
別の提案は、可聴以下の周波数の識別コードを番組セグメント内の従来の可聴音と混合することである。この方法は、受信器が音を再生する前に監視局が放送を受信すると仮定している。というのは、受信器の中には質の悪いものがあって、個人用計量装置がこれを認識できるほどの高い忠実度でこの情報を再生しないからである。従ってこの方法は、音の信号を監視する型の個人用計量器には適していない。
【００１５】
音楽の録音に関するものとして提案されたある技術は、６周波数帯域のシーケンス（このシーケンスは信号の途中で変動する）を可聴信号から除き、除いた周波数の代わりにコード信号のシーケンスを挿入することである。この挿入した信号はかなり簡単に除かれるので、この方法はうまくいかない。またこの方法はノイズ、特に可聴ノイズに弱い。
【００１６】
【特許文献１】米国特許第３，００４，１０４号
【発明の開示】
【発明が解決しようとする課題】
【００１７】
本発明の目的は次の通りである。
・ 視聴者が視聴した放送または録音セグメントに関する情報を提供し、
・ 周囲にノイズがかなりある場合でも、視聴者が視聴した放送または録音セグメントに関する情報を提供し、
・ コードが情報として視聴者に感知されないようにして視聴信号を符号化する方法と装置を提供し、
・ 所定の時間内にどのセグメントが実際に放送されたかを検出し、
・ 視聴者のメディア視聴記録を中央装置に提供し、
・ 既存の伝送チャンネル内に隠された情報を符号化伝送により中央装置から受信すること。
【課題を解決するための手段】
【００１８】
本発明の一態様では、情報を放送または録音可聴信号内に符号化する。所定の帯域幅を持つコード信号を所定の帯域幅より狭い帯域幅を持つ識別信号で変調して、符号化信号を作る。符号化識別信号を放送または録音可聴信号と混合して、出力信号を作る。
【００１９】
本発明の別の態様では、符号化識別信号を持つ可聴信号部分を含む符号化放送または録音セグメント信号を受信する。符号化識別信号は、所定の帯域幅を持つコード信号を、所定の帯域幅より狭い帯域幅を持つ識別信号で変調して作る。可聴信号部分をコード信号の複写と相関させて識別信号を回復する。
【００２０】
ある応用では、受信および相関は視聴者自身が身につけまたは携帯する個人用装置で行い、視聴者が視聴した放送または録音セグメントの記録を作る。この記録を、視聴者の識別と共に中央装置にアップロードする。
【００２１】
別の監視装置は、個人用装置と同様にして受信と相関を行い、また放送または録音セグメントに含まれる追加の情報を抽出して、放送の全記録を作る。この監視装置は中央装置と通信して、情報をアップロードする。
【００２２】
中央装置は個々の視聴者記録とこれらの記録内の項目に関する追加の情報とをマッチさせて、誰が何をいつ視聴したかの全記録を与える。
【００２３】
本発明の別の態様では符号化放送信号を与える。符号化放送信号を作るには、可聴信号を含む放送信号を与え、所定の帯域幅を持つコード信号を前記所定の帯域幅より狭い帯域幅を持つ識別信号で変調して符号化識別信号を作り、符号化識別信号を可聴信号と混合する。
【００２４】
本発明の更に別の態様では符号化録音信号を与える。符号化録音信号を作るには、可聴信号を含む録音する信号を与え、所定の帯域幅を持つコード信号を前記所定の帯域幅より狭い帯域幅を持つ識別信号で変調して符号化識別信号を作り、符号化識別信号を可聴信号と混合して符号化録音信号を作り、符号化録音信号を録音して符号化録音信号を作る。
【００２５】
本発明の更に別の態様は、可聴信号内に情報を符号化する方法を与える。前記方法は、複数の記号を含む符号化する信号を受信し、各複数の記号について周波数の対応するグループを表すそれぞれの複数のディジタルデータをメモリから読み出して符号化信号を作り、符号化信号を可聴信号と混合して出力信号を作る、段階を含む。
【００２６】
本発明の更に別の態様では、可聴信号内に情報を符号化する装置は、複数の記号を含む符号化する信号を受信する入力と、それぞれが各記号に対応しかつ周波数の各グループを表す複数のディジタルデータのグループを記憶するメモリと、各記号を入力に受けるとこれに応じてメモリからディジタルデータのそれぞれのグループを読み出して符号化信号を作る手段と、符号化信号を可聴信号と混合して出力信号を作る手段と、を備える。
【００２７】
本発明の上記およびその他の目的や機能や利点は、いくつかの例示の実施態様についての以下の詳細な説明を添付の図面と関連して読むことにより明らかになる。図面中、対応する部分および要素はいくつかの図面において同じ参照番号で識別される。
【発明を実施するための最良の形態】
【００２８】
いくつかの優れた実施態様において、本発明はいくつかの選択肢から選択されたスペクトル拡散技術を用いて、ある放送セグメントを放送する前にそのセグメントの可聴部分に識別情報を加え、また人が操作せずに動作する受動監視装置を設けて、放送セグメント内の識別情報を検知して記録する。ここでは「計器」および「計量器」という語は、受動放送監視装置などの装置を指すのに用いる。各計器に記録した情報は定期的に中央データ処理装置にアップロードして、恒久的に記憶する。
【００２９】
このような実施態様では、使用するスペクトル拡散方式は、一般にデータ速度が比較的低くかつ狭い帯域幅を持つ識別信号に形成した、ここでｘ（ｗ）、ｘ（ｔ）、ｘ（ｎ）と呼ぶ識別情報を符号化する。ここで用いる「信号」という語は、電気信号や、記憶し処理しおよび／または伝送する情報を表現するだけでなく、情報を具体化したどのような形式をも含む。ここで用いる「帯域幅」という語は、周波数帯域限界間の差だけでなく、周波数間隔または周波数範囲を含む。ここで用いる語の説明は例示が目的であって、当業者はこれらの語を適当な別の意味で用いる場合があるから、これに限定されるわけではない。優れた実施態様では、このように形成した識別信号をコード信号で変調する。コード信号は拡散信号とも呼び、データから独立していてより広い帯域幅を持つ。
【００３０】
コード信号は偽ランダム信号であって、放送セグメントの変調後は、感知されるとすれば情報としてではなく、一般にヒスと呼ぶ低レベル白色雑音として感知される。コード信号は正規の放送可聴信号レベルより十分低いレベルで可聴信号に混合し、情報として感知されないようにする。また別の態様では、可聴信号を得る方法に応じた低レベルで可聴信号と混合して、例えば音として再生した信号に対するベースバンド信号として復号してよい。
【００３１】
優れたコードの１つは、約３００−３、０００Ｈｚを占める音声帯域に加える音のシーケンスである。というのは、全ての放送形式および全ての受信装置は、少なくとも妥当な質の音声情報を再生するからである。
【００３２】
各計量器では、例えば以下に説明するプロセスの１つを用いて放送セグメントの可聴信号部分をコード信号の同期した参照複写と相関させ、有効な情報項目（例えば関連する地理的区域内の有効なチャンネル）と比較して識別信号を回復し、これを記憶する。
【００３３】
スペクトル拡散符号化を用いるため、コード信号を伝送する可聴帯域幅内にかなりの周囲のノイズがあっても、識別情報の良好な回復ができる。更に、符号化識別信号は視聴者には感知されない。
【００３４】
ある実施態様では、放送するセグメントの一般に２０−２２，０００Ｈｚの可聴信号部分を、局やチャンネルその他の番組ソースの識別情報で符号化する。これは可聴信号部分を、この情報を運ぶ情報信号で変調したコード信号と混合することにより行う。この情報は特定の放送ソースをユニークに識別する。放送時間と放送ソース（すなわち局またはチャンネルであって必ずしも番組セグメントの識別ではない）だけを伝送すれば、放送セグメント当たりの情報量を短くすることができる。
【００３５】
受動計器（選択された視聴者が身につけることが望ましい）はソース識別子を回復して、時間および日付スタンプと共にこれを自分のメモリに記憶する。毎日の終わりに計器をベース装置に乗せて再充電し、その記録情報を抽出し、必要であれば新しい情報を計器にロードすることができる。抽出情報を家庭内の記憶および送信装置で収集し、家族が電話をかけていないときに、ベース装置または記憶および送信装置を用いて、ダイアル呼出し電話線によりこの情報を中央装置に送信する。１つのベース装置または記憶および送信装置に複数の受動計器を接続することができる。または計器自体を中央装置に送って、記録したデータを抽出してもよい。
【００３６】
更に、放送セグメントに関する追加の情報、例えば特定の番組やコマーシャルを識別する情報も、セグメントの可聴信号部分に符号化する。この追加の情報は、可聴信号の全範囲と同じ周波数範囲か、または音声帯域以上だが可聴信号範囲内例えば４，０００−２０，０００Ｈｚの範囲を持つコード信号を用いてよい。または追加の情報は、可聴信号を音声帯域の上または下で直接に、すなわちスペクトル拡散符号化を行わずに変調する、または放送セグメントの他の部分例えばビデオ信号を変調する、追加の情報信号に形成してよい。
【００３７】
別の監視装置がベースバンド放送セグメントを受信してそこから放送セグメントに関する追加の情報を抽出し、これを中央データ処理装置に送って個人監視装置からのソース識別情報とマッチさせ、誰が何をいつ視聴したかという完全な視聴者記録を与える。または、別の監視装置を放送場所、例えばケーブルシステムのヘッドエンドに設けて、ケーブル放送を行う直前に信号を直接監視してもよい。
【００３８】
ソース識別情報のスペクトル拡散符号化の優れた一方法は、周波数領域での直接シーケンス符号化を用いる。別の方法は、時間領域での直接シーケンス符号化と周波数ホッピング（frequency hopping）を行う。これらの方法をそれぞれ以下に説明する。しかし本発明はこれらの方法に限定されるわけではなく、時間ホッピング（time hopping）やパルスＦＭシステムやハイブリッド法を用いる他のスペクトル拡散法も可能である。
【００３９】
以下に本発明の一実施態様を、符号器を示す第１図と、個人用モニタを示す第２図と、周波数使用チャートを示す第３Ａ−３Ｋ図を用いて説明する。
【００４０】
第１図は、本発明の符号器１００の優れた一実施態様を示す。符号器１００は入力端子１０５と１１０、変調器１２０、逆変換器１３０、バッファ１４０、Ｄ／Ａ変換器１５０、低域フィルタ１６０、ミキサ1７０、出力端子１７５を備える。
【００４１】
周波数領域でのビット形式から成るソース識別信号Ｘ（ω）を入力端子１０５に供給し、同様にビット形式の周波数領域の対せきコード信号Ｇ（ω）を入力端子１１０に供給する。対せき信号は例えば「１」と「−１」という、反対の値だけを持つ。この例では、Ｘ（ω）とＧ（ω）の値は実数だけから成り、虚数部はゼロである。これらの信号については以下に詳細に説明する。
【００４２】
ここに用いる「ビット」とはデータの単位、例えばソース識別子の一部をいい、「チップ」とはコードの基本単位をいう。情報信号の帯域幅はコード信号の所定の帯域幅より狭いので、１ビットは多くのチップに対応する。周波数領域では各チップは「点」で表される。これは実質的にデータ値である。
【００４３】
コード信号は例えば毎日変更して、例えばテープ再生の識別や、収集したデータを所定の調査期間に限定することや、不正なアクセスを妨げるなどの、各種のニーズに応える。コード信号は、多くの伝送方式のどれかを用いて、中央装置から１つ以上の符号器に送ることができる。例えばコード信号は、公衆交換電話網やローカルエリアネットワークや衛星通信により、または第９図に関連して後で説明する方法を用いて放送に符号化したデータとして、伝送することができる。ラジオとテレビに異なるコードを用いることにより、同じ個人用モニタでラジオだけまたはテレビだけのデータを収集することができる。または、コードを地理的位置に基づいて割り当てたり、または視聴の監視をコマーシャル広告だけに限定したりしてよい。
【００４４】
ソース識別信号Ｘ（ω）とコード信号Ｇ（ω）を変調器１２０に供給し、変調器１２０は個々の周波数成分について、例えば直接乗算や排他的論理和やその他の結合技術を用いてこれらの信号を変調して、周波数領域の符号化したソース識別信号を形成する。
【００４５】
正しく選択すると、周波数領域の符号化信号は、視聴者が用いる受信器回路やスピーカの一般的な周波数応答にそのスペクトルをマッチさせるだけでなく、監視する室または他の音響環境を補償するという特性を持つ。
【００４６】
周波数領域の符号化ソース識別信号を逆変換器１３０に供給し、逆変換器１３０は逆高速フーリエ変換（ＦＦＴ）またはウェーブレット変換（wavelet tranform）を行って時間領域の符号化ソース識別信号を作り、これをバッファ１４０に供給する。バッファ１４０は例えば２，０４８のデータ項目を保持し、また先入れ先出し方式で用いるランダムアクセスメモリとして図示されている。バッファ１４０の内容を、例えば１６ビットのＤ／Ａ変換器１５０に送り、アナログの符号化識別信号を約９０ｄＢ範囲のレベルにする。
【００４７】
一実施態様では、変換器１５０は毎秒８，１９２サンプルの速度でサンプリングする。バッファ１４０の長さは、選択したサンプリング速度、すなわち（毎秒８，１９２サンプル）／（毎秒４ビット）＝２，０４８サンプル／ビット、での１ビット時間に相当する。対応するＦＦＴは周波数領域で１，０２４点の長さを持ち、各点は４Ｈｚに相当する。３００−３，０００Ｈｚの周波数範囲内の６７６点は用いるが、０−２９６Ｈｚの範囲に対応する７５点と、３，００４−４，０９２Ｈｚの範囲に対応する２７３点は用いない。アナログの符号化識別信号を低域フィルタ１６０に供給し、低域フィルタ１６０は所望の範囲外の偽信号を除去する。
【００４８】
ミキサ１７０で、ろ波した符号化識別信号を、聞こえないように選択した比率でセグメントの可聴部分と結合し、符号器１００の出力端子１７５に供給して、もしあればセグメントの他の部分と共に、ＲＦや衛星やケーブル放送などの従来の方法で放送するか、またはテープなどの録音媒体に録音する。符号化識別信号を結合するレベルは、多くの可聴番組で許容される正常の雑音レベルにほぼなるように選択する。個人用モニタとは異なる監視装置向けの追加の情報もミキサ１７０に別個に供給し、符号化識別信号および可聴部分と結合する。
【００４９】
符号器１００の前述の各要素が行う変調から混合までの処理段階は、放送または録音するセグメントの可聴部分にソース識別信号を完全に符号化するまで繰り返す。これらの段階を繰り返すことにより、いろいろの位置で、またはセグメントの可聴部分を通して継続的に、ソース識別を符号化することができる。セグメントのソースが変わったことを反映したりその他適宜に対処するため、その後の識別情報を変更することができる。
【００５０】
第２Ａ図は、本発明の個人用モニタの優れた一実施態様２００を示す。個人用モニタ２００はマイクロホン２３０、増幅器２４０、低域フィルタ２５０、Ａ／Ｄ変換器２５５、バッファ２６０、変換器２６５、相関器２７０、入力端子２７５と２８５、結合器２８０、メモリ２９０を備える。第２Ａ図の外側の破線は、一般に人が身につける、例えば視聴者の衣服にクリップで止める計量器の外箱を示す。
【００５１】
第２Ａ図に示すように、放送セグメントの符号化可聴部分を一般的な放送受信器２１０の入力端子２０５に受信し、受信器２１０はスピーカ２２０を用いて可聴部分を音として再生する。受信器２１０とスピーカ２２０は家庭などで視聴者が通常用いる装置であって、放送可聴信号を音として再生する。または、符号化可聴部分を含む録音セグメントをビデオテープレコーダなどにより再生して、その可聴部分をスピーカ２２０などのスピーカによって音として再生してもよい。
【００５２】
放送または録音セグメントの、音として再生した可聴部分を個人用モニタ２００のマイクロホン２３０で受けて、音のエネルギーを電気信号に変換する。変換した電気信号は有線または無線通信により増幅器２４０に供給する。増幅器２４０は自動利得制御増幅器として図示されており、パワーレベルを高めた出力信号を発生する。
【００５３】
第２Ａ図では、マイクロホン２３０と増幅器２４０の結合２３５Ａを、視聴者が身につける個人用モニタ２００内に納めるものとして図示している。第２Ｂ図に、結合２３５Ａと同じ機能を持つ別の結合２３５Ｂを示す。結合２３５Ｂは、視聴者が身につけるようになっていてかつモニタ２００の他の部分から物理的に分離している第１装置２４１と、モニタ２００の残りの部分を納める外箱内に含まれる第２装置２４２を備える。第２Ｂ図に示す装置は、視聴者が子供の場合や視聴者が身につける装置は小さい方が望ましい場合に、特別に作られるものである。
【００５４】
結合２３５Ｂの第１装置２４１は、マイクロホン２３０と送信器２３１とアンテナ２３２を備える。マイクロホン２３０で変換した電気信号を送信器２３１に供給する。送信器２３１は変換した信号から無線送信に適した信号を発生してアンテナ２３２に供給する。アンテナ２３２は送信器２３１から信号を無線で送信する。
【００５５】
結合２３５Ｂの第２装置２４２は、アンテナ２３３と受信器２３４を備える。アンテナ２３３はアンテナ２３２からの無線放送を受信して電気信号に変換し、これを受信器２３４に供給する。受信器２３４は増幅器２４０の出力に対応する高めたパワーレベルの出力信号を発生する。
【００５６】
第２Ｃ図は別の結合２３５Ｃを示すもので、視聴者が身につけて運びかつ一般にヘッドホン２２６と共に用いる携帯用装置２２５により、ラジオ放送または再生音を聴く場合に用いる。結合２３５Ｃはジャックなどの入力端子２３６、プラグなどの出力端子２３７、単なるＹケーブルなどの分配器２３８、増幅器２３９を備える。入力端子２３６は携帯用装置２２５に結合し、放送可聴信号を受信して分配機２３８に供給する。分配器２３８は入力端子２３６からの信号の複写を増幅器２３９と出力端子２３７に供給する。増幅器２３９は高めたパワーレベルの出力信号を発生する。
【００５７】
増幅器２４０や受信器２３４や増幅器２３９からの信号をフィルタ２５０を通してＡ／Ｄ変換器２５５に供給する。増幅信号のレベルは、変換器２５５の最大範囲の約５０％に相当する。フィルタ２５０は増幅信号の低域ろ波を行い、コード信号の最大周波数、例えばある実施態様では３，０００Ｈｚ、を超える全ての周波数を除去して、より高い周波数情報が符号化情報の存在する周波数領域内に入る（aliased）ことを防ぐ。
【００５８】
変換器２５５はろ波信号を一連の１６ビット値に変換し、これらの値を変換信号としてバッファ２６０に供給する。バッファ２６０は変換した値を記憶した後変換器２６５に供給し、変換器２６５は変換した値を高速フーリエ変換やさざなみ変換などにより周波数領域に変換する。バッファ２６０は、以下に説明するように同期と追跡のために、滑り変換（sliding transform）が可能な方法で各値を記憶する。
【００５９】
周波数領域の信号と入力端子２７５に供給するコード信号Ｇ（ω）の複写を相関器２７０に送り、相関器２７０はこれらの信号を相関させて、回復ソース識別信号Ｘ'（ω）を発生する。相関過程の一部として、上に説明したようにバッファ２６０からの読出しを適当に調整することによりコード信号Ｇ（ω）の複写を受信信号と同期させ、時間領域データの正しい集合でＦＦＴまたはさざなみ変換を行う。コード信号は個人用モニタに配線で供給してよいが、望ましくはこれにダウンロードして、上に述べたようにコードを変更しやすいようにする。信号の回復と同期については、より詳細に以下に説明する。
【００６０】
見やすくするために図示していないが、個人用モニタ２００内に中央処理装置を設けて、同期やその他のデータ管理機能を援助することができる。
【００６１】
相関器２７０は回復ソース識別信号Ｘ'（ω）に対応するビットを表す出力信号を発生し、これを入力端子２８５に供給する時間スタンプと結合してメモリ２９０に送って記憶し、更に追加の情報と共に中央データ処理装置に送って視聴者を識別する。追加の情報はモニタ２００に割り当てた一連番号または他の識別子などでよく、中央装置はこれを用いて、モニタの一連番号と視聴者とを関連付けるルックアップテーブルの指標とする。追加の情報はメモリ２９０または例えばＲＯＭに記憶する。第２Ｂ図の実施態様では、上に説明したように送信器２３１は、時間スタンプと結合する、装置を身につけている人を識別する適当な一連番号すなわち識別子を、中央データ処理装置に追加の情報として伝送する。これにより単一の無線伝送チャンネルを用いることができる。別の態様では、所定の家庭内で用いる各無線送信器２３１に固有の伝送チャンネルを割り当てることにより、モニタ２００は無線送信器２３１、従って対応する視聴者を識別することができる。
【００６２】
メモリ２９０からの情報を転送するには、個人用モニタ自体を中央装置に送ってもよいし、例えば視聴者の居住地にある基地局に時間スタンプ付きデータを読み出して、基地局と中央装置との間のダイアル呼出し通信リンクにより送ってもよい。
【００６３】
符号器１００と個人用モニタ２００の動作を以下に説明する。
【００６４】
第１図に戻って、上に述べたようにＤ／Ａ変換器１５０は毎秒８，１９２サンプルの速度でサンプリングする。最小ナイキスト速度では、これは４，０９６Ｈｚの信号速度に相当する。所望のデータ速度と誤り率との間で選んだバランスに従って、０から４，０９６Ｈｚまでの周波数成分を選択する。第３Ａ図に示すように、この実施態様では周波数範囲３００−３，０００Ｈｚに対応する６７６点だけを用いる。
【００６５】
第３Ｄ図に示すように、長さ６７６点のコード信号Ｇ（ω）を選択する。各点すなわちコード信号の値は４Ｈｚ間隔に対応する。このコード信号は偽騒音特性を持つので同期処理が容易であり、符号化情報が感知しにくくなり、また一般的な受信器２１０とスピーカ２２０の周波数応答特性が最適になる。
【００６６】
放送のソースを表すビットのシーケンス例えば「チャンネル４」と、ソース情報に付随しまたはこれと交互に現れる例えば「０９：３２ １／３０／９２」という時間および／または日付スタンプまたはその数字表示とから成るソース識別データを定義する。または録音セグメントでは、録音するときに個々の番組および関連する時間スタンプを識別するデータを定義して、録音した関連する時間スタンプと個人用モニタに２００で発生した時間スタンプとを比較することにより再生速度を検出する。第３Ｂ図は、二進数すなわち「１ ０ １．．．１」で表すこのようなシーケンスを示す。
【００６７】
選択した拡散比に従って、コード信号の点数と等しい点数を持つ識別信号Ｘ（ω）に識別データを写像する、すなわち拡散する。第１図の符号器は効果的な拡散比である１３５２：１を用いる。すなわち２つの変換が、対応するビット内の全てのチップを含む。しかし第３Ｃ図は図を簡単にするために単に１０：１の比を示す。すなわち、ソース識別データの各ビットは、第３Ｃ図に示す識別信号Ｘ（ω）の１０点に対応する。
【００６８】
変調器１２０は対せきコード信号Ｇ（ω）と識別信号Ｘ（ω）を変調して、第３Ｅ図に示す変調信号Ｘ（ω）Ｇ（ω）を作る。対せき信号を二進データストリームで表す場合は、二進「０」は対せき「＋１」信号レベルに対応し、二進「１」は対せき「−１」信号レベルに対応する。特定すると、同じ４Ｈｚ周波数間隔に対応する各信号Ｘ（ω）とＧ（ω）の諸点を掛け合わせて、排他的論理和操作の場合に対応する結果を得る。
【００６９】
周波数領域の変調信号を表す点の集合を逆変換器１３０で逆変換して時間領域の符号化ソース識別信号を作り、これをセグメントの可聴部分と混合して、放送しまたは予め録音したメディアで配布する。
【００７０】
個人用モニタ２００で、変換器２６５は受信信号を周波数領域の点の集合に変換する。符号化信号を完全に受信した場合は、回復した点の集合は第３Ｅ図に示す変調信号に正確に対応する。
【００７１】
同じ４Ｈｚ周波数間隔に対応する２つの信号の点を乗算することにより、相関器２７０は回復した点の集合を同期コード信号Ｇ（ω）の点の集合と相関させて、第３Ｆ図に示す回復ソース識別信号Ｘ'（ω）を発生する。Ｘ'（ω）に対応するビットは、例えば符号器でビットを拡散した点の平均値をとることにより回復する。この例では、第３Ｆ図に示す各ビットについて１０点の平均値を計算して第３Ｇ図に示す値を得る。波形と相関させるなどの他の方法も、識別ビットを回復するのに適している。
【００７２】
第３Ｈ−３Ｋ図は、受信信号が雑音を含む場合のビットの回復を示す。第３Ｈ図は変換器２６５からの回復した点の集合を示す。太字で示すように、最初の１０点の内の２個の回復した点が誤りであるが、第２の１０点では連続した４点が誤りであり、第３の１０点では誤った４点が正しく回復した点と交互になっている。
【００７３】
第３Ｊ図は雑音の多いデータに基づく回復ソース識別信号Ｘ'（ω）を示すもので、値が誤った諸点を含んでいる。第３Ｋ図は、各回復したビットの平均値を示す。平均値を最も近い二進値（０か１）に丸めると、各ビットの１０点の中で４点までが誤りであっても、すなわち１０点の中で正しく受信したのが６点だけであっても、ソース識別データを完全に回復することが分かる。
【００７４】
すでに述べたように、本実施態様は各半ビットについて６７６点を用いる。すなわち２つの変換が、対応するビット内の全てのチップを含むので、ソース識別データを完全に回復するためには６７６点の中の３３９点の値だけを正しく受信すればよい。
【００７５】
一般に個人用モニタ２００は、一般にテレビやラジオのチャンネルを変えることにより生じるソース識別データの変化や、視聴者が検出可能な範囲外にいるかまたはモニタ２００を身につけていない場合に一般に生じる時間切れ故障などの事象だけを記録する。
【００７６】
視聴者は放送セグメントを録音しておいて、後で再生する場合がある。回復識別データに含まれる時間スタンプと個人用モニタが回復識別データを記憶するときに付ける時間スタンプとを比較することにより、中央データ処理装置はこれを検出することができる。同様に、視聴者がいつセグメントの通常の再生を変えたかは、録音セグメントとモニタの時間スタンプの時間差の変化を調べることにより検出することができる。
【００７７】
放送中にかなりの時間にわたって視聴者が音声信号の音量を弱くした場合は、個人用モニタは信号事象がないと記録する。音声信号の音量を検出可能なレベルに回復すると、個人用モニタはソース識別データが変化したとしてこれを記録する。アップロードした視聴者の記録を正しく分析すれば、中央装置は「コマーシャルの消去（zapping）」を検出することができ、これにより広告主は自分のコマーシャルの可聴部分に対する視聴者の反応を測ることができる。
【００７８】
また本発明は、販売用のテープやディスクに予め録音した音楽やビデオなどの録音セグメントの不正な複写、すなわち「テープの海賊版」、を検出するのに有用である。すなわち、録音セグメント内の符号化データは個別の番組を識別し、また録音セグメントの特定の複写（カセットやディスクなど）の一連番号を識別する。何人かの視聴者のアップロードした記録や視聴日記が同じ番組や特定の複写の一連番号を含んでいる場合は、このセグメントが不正に複写された可能性がある。
【００７９】
本発明を用いると、視聴者の調査をいろいろの方法で容易に選択した時間枠に限定することができる。例えば、日付が調査期間の枠内かどうかを個人用モニタのソフトウエアで試験することや、選択した時間枠の間だけ個人用モニタにコードをロードまたはダウンロードすることや、内部に記憶したコードの集合の中から日付や時間に基づいて個人用モニタで選択することや、日付および／または時間に基づいてコード信号を使用することや、アップロードした視聴者日記を中央装置で分析することなどである。
【００８０】
第４Ａ図は、本発明の別の実施態様の符号器１０２を示す。符号器１０２は入力端子１８５、アドレス発生器１８６、読出し専用メモリ（ＲＯＭ）１８０、Ｄ／Ａ変換器１５０、低域フィルタ１６０、ミキサ１７０、出力端子１７５を備える。
【００８１】
例えば時間領域のビット形式のソース識別信号ｘ（ｔ）を、入力端子１８５を通してアドレス発生器１８６に供給する。アドレス発生器１８６は識別信号ｘ（ｔ）の各ビットに応じてアドレスの集合を作り、この集合の各アドレスをＲＯＭ１８０に逐次供給する。ＲＯＭ１８０は周波数領域のコード信号に対応するデータを含むが、これはすでに逆変換を行って時間領域のデータとして記憶している。ＲＯＭ１８０は各アドレスで指定したメモリ位置の内容を読み出して、その内容を時間領域のソース識別信号としてＤ／Ａ変換器１５０に供給する。Ｄ／Ａ変換器１５０、低域フィルタ１６０、ミキサ１７０、出力端子１７５については、第１図に関連して前に説明した。
【００８２】
動作を説明すると、識別信号ｘ（ｔ）の各ビットを入力端子１８５に与えると、ＲＯＭ１８０から値のストリングを時間領域のソース識別信号として読み出す。最も簡単な場合は、ｘ（ｔ）は２つの値例えば０と１をとり、ＲＯＭ１８０は第１コード信号に対応するデータをアドレス１−２，０４８に、第２コード信号に対応するデータをアドレス２，０４９−４，０９６に含む。必要であれば、ＲＯＭ１８０は追加のコードを記憶してよい。この例では、ｘ（ｔ）の値が０の場合はアドレス１−２，０４８にある第１コード信号を読み出し、ｘ（ｔ）の値が１の場合はアドレス２，０４９−４，０９６にある第２コード信号を読み出す。
【００８３】
またＲＯＭ１８０は第１図のバッファ１４０の機能を実行するものとして図示しているが、必要であれば符号器１０２に別のバッファを設けてもよい。
【００８４】
第４Ｂ図は第４Ａ図のＲＯＭ１８０をプログラムする装置で、入力端子１８１、逆変換器１８２、プロセッサ１８３を備える。
【００８５】
ビット形式の周波数領域の対せきコード信号Ｇ（ω）を、入力端子１８１を通して逆変換器１８２に供給する。逆変換器１８２は第１図の逆変換器１３０と同じもので、逆ＦＦＴまたはさざなみ変換により時間領域コードデータを作ってプロセッサ１８３に供給する。プロセッサ１８３は必要な書込みアドレスを生成してこの書込みアドレスをＲＯＭ１８０に供給し、時間領域のコードデータをこれらの書込みアドレスに記憶する、すなわち「バーンイン」する。
【００８６】
このプロセスは少なくとも追加の１コード信号Ｇ（ω）の間繰り返す。コード信号Ｇ（ω）は、例えば第１コード信号の逆の複写である。バーンインしたＲＯＭ１８０はコードデータを含むので、符号器１０２で用いることができる。
【００８７】
容易に理解できるように、逆変換器１０２は主位置でだけ必要なので、第４Ｂ図の装置を主場所に置き複数の第４Ａ図の各符号器１０２を分散した場所に置くことにより、第１図の構成に比較して安価に作ることができる。
【００８８】
第４Ｃ図は、本発明の更に別の実施態様の符号化システムを示す。第４Ｃ図の符号化システムは、符号器１０４と、電話網と、中央データ処理装置を備える。符号器１０４は入力端子１９１と１９２、プロセッサ１９０、モデム１９４、インターフェース回路１９６、ランダムアクセスメモリ（ＲＡＭ）１９８、データバス１９９、Ｄ／Ａ変換器１５０、低域フィルタ１６０、ミキサ１７０、出力端子１７５を備える。
【００８９】
ビット形式の周波数領域の対せきコード信号Ｇ（ω）の集合を中央データ処理装置に供給し、中央データ処理装置は逆変換器（見やすくするために図示していない）を用いて逆ＦＦＴまたはさざなみ変換を行い、時間領域のコードデータの集合を作る。次に中央データ処理装置は符号器１０４との通信リンクを設定して、時間領域のコードデータの集合をダウンロードする。またこのコードデータの対応する書込みアドレスも符号器１０４にダウンロードしてよい。第４Ｃ図では、通信リンクは公共交換電話網（ＰＳＴＮ）を通して設定するように図示しているが、第９図に関連して後で説明するような別の通信リンクを用いてもよい。
【００９０】
中央データ処理装置からダウンロードしたデータを、入力端子１９１を経て符号器１０４のモデム１９４に受信する。ダウンロードしたデータはデータバス１９９で伝送して、ＲＡＭ１９８内の、データの一部としてダウンロードしたアドレスに、またはプロセッサ１９０が生成したアドレスに記憶する。コードデータをＲＡＭ１９８に記憶した後は、ＲＡＭ１９８は第４Ａ図のＲＯＭ１８０と同じ機能をする。
【００９１】
識別信号ｘ（ｔ）を入力端子１９２を経てインターフェース回路１９６に供給する。プロセッサ１９０は信号ｘ（ｔ）の各ビットの読出しアドレスの集合を生成し、これらのアドレスをデータバス１９９を経てＲＡＭ１９８に供給する。または、インターフェース回路１９６がアドレスの集合を生成して、これをデータバス１９９を経てＲＡＭ１９８に供給してもよい。信号ｘ（ｔ）のビット毎にＲＡＭ１９８からデータを読み出し、第４Ａ図の実施態様と同じ方法で時間領域のソース識別信号を発生する。
【００９２】
Ｄ／Ａ変換器１５０、低域フィルタ１６０、ミキサ１７０、出力端子１７５の動作は、前に第１図に関連して説明した。
【００９３】
第５図は、本発明の符号器の別の実施態様を示す。これは、時間領域での直接シーケンススペクトル拡散符号化を用いる。符号器３００は入力端子３０５と３１０、変調器３２０、低域フィルタ３６０、ミキサ３７０、出力端子３７５を備える。
【００９４】
時間領域で表したソース識別信号ｘ（ｔ）を入力端子３０５に供給し、時間領域のコード信号ｇ（ｔ）を入力端子３１０に供給する。信号ｘ（ｔ）とｇ（ｔ）を変調器３２０に供給してこれらの信号を変調し、時間領域の符号化ソース識別信号を発生して低域フィルタ３６０に供給する。低域フィルタ３６０は所望の範囲外の偽信号を除去する。
【００９５】
ミキサ３７０で、ろ波した符号化識別信号をセグメントの可聴部分と結合して、第１図のミキサ１７０に関連して前に説明したように感知されないようにし、次に符号器２００の出力端子３７５に送って従来の方法で放送する。
【００９６】
第６図は、本発明の個人用モニタの別の実施態様４００を示す。個人用モニタ４００はマイクロホン４３０、増幅器４４０、低域フィルタ４４５、相関器４５０（これは乗算器４５２と積分器４５４と比較器４５６を備える）、入力端子４６０と４６５、結合器４７０、スイッチ４７５、センサ４８０、メモリ４９０を備える。個人用モニタ２００に関連して前に説明したのと同じ理由で、個人用モニタ４００にも中央処理装置を設けてもよい。
【００９７】
マイクロホン４３０は、第２Ａ図に関連して前に説明したように、放送セグメントの音として再生した可聴部分を変換して電気信号を発生する。マイクロホン４３０から得られた電気信号を増幅器４４０に、次いでフィルタ４４５に供給する。これらはそれぞれ第２Ａ図の増幅器２４０およびフィルタ２５０と同じものである。コード信号ｇ（ｔ）の複写を端子４６０を通して供給し、フィルタ４４５からのろ波した信号出力を相関器４５０に供給する。
【００９８】
相関器４５０は乗算器４５２を含み、乗算器４５２はろ波した信号とコード信号とを乗算して、乗算結果を積分器４５４に供給する。積分器４５４はビット区間にわたって積分して積分信号を作り、比較器４５６に供給する。ビット速度が毎秒４ビットの場合は、ビット区間は０．２５秒である。比較器４５６は、コード信号を時間窓に沿って滑らせて、信号の開始を定義するコード信号の点を積分するすなわち進めまたは遅らせることにより、コード信号の複写を入ってくる信号と同期させ、積分信号を最適にする。
【００９９】
より特定すると、ソース識別信号ｘ（ｔ）は、１ビットに対応する各チップにおいて同じ論理状態（０または１）を持つ。放送信号を誤りなしに受信すると、コード信号の複写とろ波した受信信号との乗算から得られる各チップの値は、ビットの期間中、同じ値を持つ。このようにして、積分の結果が０または１の平均チップ値に相当する場合は同期がとれる。受信信号とコード信号が同期しない場合は、積分の結果は０または１ではなくて、０．５に近い平均値である。
【０１００】
同期がとれると、時間窓を滑らせることにより調整して、入ってくる信号の追跡を続けることができる。
【０１０１】
一般に、視聴者が視聴しているセグメント毎に同期をとらなければならない。視聴者が別の部屋に行ったときのように個人用モニタがかなりの時間にわたって信号を受信しない場合は、モニタはこれを信号事象の損失として記録する。放送や再生が行われている部屋に視聴者が戻ったときは、再び同期をとる必要がある。
【０１０２】
同期をとると、比較４５６は回復ソース識別データを結合器４７０に出力し、結合器４７０はこれを入力端子４６５に供給する時間スタンプと結合して時間スタンプ付き信号を作って、スイッチ４７５に供給する。
【０１０３】
センサ４８０は熱センサまたは動作検出センサでよく、個人用モニタ４００を人が身につけているか、従ってその人が放送を受信中であるかどうかを検出し、個人用モニタ４００を人が身につけているときは使用可能信号を発生する。この使用可能信号により個人用モニタを動作させるかどうかを制御して、個人用モニタの電源、一般には再充電可能電池を効率的に用いることができる。このようなセンサの使用はこの特定の実施態様に限られるわけではなく、第２Ａ図に示した個人用モニタ２００などの個人用モニタのいかなる実施態様にも用いてよい。センサからの使用可能信号はスイッチ４７５に供給する。
【０１０４】
使用可能信号が動作状態の場合は、スイッチ４７５は時間スタンプ付き信号をメモリ４９０に送って記憶し、上に説明したように更に中央データ処理装置に転送する。
【０１０５】
または、センサ４８０からの信号を結合器４７０に送ってスイッチ４７５をやめ、ローカルの時間スタンプを持つ回復識別データと、識別データを回復したときに視聴者がモニタを身につけていたかどうかの指示を、個人用モニタ４００が記憶するようにしてよい。
【０１０６】
更にまた、本発明をビデオテープレコーダ（ＶＣＲ）と共に用いて、放送セグメントを録音中に監視することができる。符号化識別信号を含むのは音として再生した信号ではなく、ＶＣＲのチューナが出力するベースバンド信号の可聴部分である。この場合、モニタはＶＣＲが録音を行っていることを検知し、録音信号の識別情報を記憶する。ＶＣＲについての日記は、個人用モニタ４００が作る日記と同じようにしてアップロードする。
【０１０７】
第７図は、本発明の符号器の更に別の実施態様５００を示す。符号器５００は入力端子５０５と５１５、変調器５１０、周波数シンセサイザ５２０、ミキサ５２５と５４０、低域フィルタ５３０、出力端子５４５を備える。ソース識別データｘ（ｎ）を入力端子５０５を経て変調器５１０に供給し、正弦信号で変調する。
【０１０８】
コードデータｇ（ｎ）を入力端子５１５を経て周波数シンセサイザ５２０に供給し、周波数シンセサイザ５２０の出力を制御する。より特定すると、使用可能な帯域幅は３００−３，０００Ｈｚの範囲であり、これをより狭いＭ個の帯域に分割する。各帯域幅は（３，０００−３００）／Ｍ Ｈｚである。各チップ時間で、帯域ホッピング（hopping）シーケンスを指定するコードデータｇ（ｎ）に従って周波数シンセサイザ出力をＭ帯域の１つの中心周波数に変え、周波数をホップしたコード信号を発生する。
【０１０９】
ソース識別データを搬送する正弦信号と周波数をホップしたコード信号をミキサ５２５に供給し、ここで混合して符号化識別信号を作って低域フィルタ５３０に供給し、所望の範囲外の偽信号を除去する。
【０１１０】
ろ波した符号化識別信号を、放送セグメントの可聴部分と、放送のソースに関する更に詳細を与える恐らく追加の情報と共に、ミキサ５４０に供給する。ミキサ５４０はこれらの信号を混合して、符号化識別信号を持つ可聴信号部分を出力端子５４５に出す。この可聴部分を含むセグメントを、放送装置を経て放送する。
【０１１１】
第８図は、本発明の個人用モニタの更に別の実施態様６００を示す。個人用モニタ６００はマイクロホン６３０、増幅器６３５、低域フィルタ６４０、入力端子６４５と６７５、周波数シンセサイザ６５０、ミキサ６６０、復調器６７０、結合器６８０、メモリ６９０を備える。個人用モニタ２００と４００に関して上に説明したのと同じ理由で、個人用モニタ６００に中央処理装置を設けてもよい。
【０１１２】
マイクロホン６３０と増幅器６３５と低域フィルタ６４０は、第２Ａ図と第６図の対応する要素と同じ動作をするので、簡潔のためにこれらの説明は省略する。
【０１１３】
コードデータｇ（ｎ）の複写を端子６４５を経て周波数シンセサイザ６５０に供給して、その出力を制御する。シンセサイザ６５０の出力の周波数は第７図のシンセサイザ５２０の出力と同じである。
【０１１４】
フィルタ６４０からのろ波した信号とシンセサイザ６５０からの周波数を合成した信号をミキサ６６０に供給し、これらを混合して識別信号を回復する。言い換えると、ミキサ６６０はろ波した信号と周波数を合成した信号とを相関させる。すなわち、ミキサはこれらの信号を一致すなわち相互関係に置く。
【０１１５】
回復識別信号を復調器６７０に供給し、ここで復調して回復識別データを作り、端子６７５を経て供給する時間スタンプ付きデータと結合器６８０で結合する。時間スタンプ付き識別データをメモリ６９０に供給して記憶し、上に説明したように、更に中央データ処理装置に転送する。
【０１１６】
第９図は、本発明の別の実施態様の監視装置７００を示す。監視装置７００は端子７０５と７１５と７３５、モデム７１０、チューナ７２０と７４０、復調器７２５と７４５、復号器７３０と７５０、クロック回路７５５、メモリ７６０、プロセッサ７７０、データバス７８０を備える。クロック回路７５５は符号器７００のいろいろのブロックの要求に応じて、時間および日付け情報を従来の方法で供給する。
【０１１７】
第９図に示すように、放送セグメントを含む信号をモニタ７００の入力端子７３５に受信する。放送信号は符号化ソース識別信号を含む可聴部分を持つ。受信信号をチューナ７４０に、次いで復調器７４５に供給して、ベースバンド放送信号を回復する。または、チューナと復調器を別の装置にして、ベースバンド放送信号をモニタ７００に直接供給してもよい。
【０１１８】
別の態様として、ラジオまたはテレビ局などの各放送ソースは、第１図、第５図、第７図に示すような符号器を、どの番組が実際に放送されているかを監視するモニタ７００などの装置と共にその構内に設けてよい。この場合、符号器とモニタを同じ外箱内に納めれば、必要な装置全体の大きさを減らすことができる。というのは、符号器とモニタは例えばコード信号のメモリを共用してよく、またベースバンド信号が直接使用可能なのでチューナと復調器は必要ないからである。
【０１１９】
ベースバンド放送信号を復号器７５０に供給し、復号器７５０は第２Ａ図、第６図、第８図に示す個人用モニタで用いたのと同じ方法でソース識別信号を抽出する。
【０１２０】
また復号器７５０は受信した放送セグメント内の追加の情報を抽出する。これは上に説明したように、可聴部分で直接変調し、拡散信号を用いて符号化した後可聴部分と混合してもよいし、または放送セグメントの別の部分で変調してもよい。この追加の情報は、例えば広告のソース識別情報や、使用可能な容量が限られているために音声帯域内に符号化した情報の中には存在しない放送セグメント内の番組の識別に関する情報を含んでよい。
【０１２１】
各放送セグメントについて、復号器７５０は音声帯域から抽出したソース識別情報や、追加の情報や、適当な時間スタンプ情報を、データバス７８０を経てメモリ７６０に供給して記憶する。
【０１２２】
例えば毎日という定期的な間隔で、メモリ７６０に記憶している放送セグメントに関する情報をアップロードする時間になったことをプロセッサ７７０は検出する。プロセッサ７７０はモデム７１０を用いて、公衆交換電話網により中央データ処理装置への回路を設定する。専用の電話線を端子７０５に接続してもよいが、設置が柔軟でコストが節約できるのでダイアル回線の方が望ましい。別の態様として、このために広域網を用いてもよい。回路を設定すると、プロセッサ７７０はメモリ７６０に命令して必要な情報をデータバス７８０に供給させ、またモデム７１０に命令してこの情報を中央装置に転送させる。または、中央装置からメモリ７６０に命令を送ってデータを転送させてもよい。
【０１２３】
モニタ７００を用いて所定のラジオまたはテレビジョン放送市場で放送信号を監視し、どのセグメントがどの時間に１つ以上のチャンネルでまたは１つ以上の局から放送されたかを決定することができる。ある応用では、モニタ７００はセグメント識別情報を復号して、どの番組やコマーシャルやその他のセグメントが放送されたかを決定し、この情報を中央データ処理装置に送って、個々の視聴者から送られる個人用モニタのデータと相関させることができる。更に別の応用では、１つ以上のチャンネルでまたは１つ以上の局から放送されるコマーシャルを決定して、広告主または放送装置の使用権の購入者から放送局に支払う料金を決定する報告書を作成し、および／またはマーケットリサーチの報告書を作成する。
【０１２４】
更に別の応用では、モニタ７００はどの著作権保護作品が１つ以上の局からまたは１つ以上のチャンネルで放送されたかを示すデータを集める。例えば、あるラジオ局は予め録音した歌を何度も放送し、中央装置がアップロードした情報を正しく分析してこの状態を検出すると、この分析結果を用いて著作権使用料の支払い義務を決定する。
【０１２５】
またモニタ７００を家庭の監視に用いて、１つ以上のラジオまたはテレビジョン受像機で再生しまたは表示した番組やコマーシャルやその他のセグメントを決定することができる。この場合、本発明を用いて視聴者の構成を監視してもよいししなくてもよい。
【０１２６】
また中央装置は電話線により情報をモニタ７００にダウンロードして、直ぐまたは後で処理することができる。このダウンローディングはモニタ７００が起動した接続中に行ってもよいし、中央装置が接続を起動した場合でもよい。ダウンロードする情報の例は、符号化ソース識別情報の更新コード信号、別のインターフェース（簡単にし分かりやすくするために図示していない）を通してユーザから情報を収集するための指示メッセージ（家庭のモニタに表示される）、実行可能な番組情報などである。末端で変造されないようにするために、モニタ７００を中央装置の制御の下に置くことは重要である。
【０１２７】
また中央装置は別のＲＦチャンネルに情報を供給して、分散したモニタ装置７００のグループに放送してもよい。このＲＦチャンネルはスペクトル拡散符号化技術を用いて、既存のＦＭ放送に符号化する。符号化ＦＭ放送はモニタ７００の入力端子７１５に受信し、チューナ７２０に、次いで復調器７２５に供給して、ベースバンド放送信号を回復する。または、チューナと復調器を別の装置にして、ベースバンド放送信号をモニタ７００に直接供給してもよい。復号器７３０は符号化情報をＦＭ放送から抽出し、抽出情報をデータバス７８０を経てメモリ７６０に供給する。または、復号器７３０は情報を受信したことをデータバス７８０を経てプロセッサ７７０に知らせ、抽出情報の処理に関するプロセッサ７７０からの命令に応える。
【０１２８】
モニタ７００は、端子７１５に供給する符号化ＦＭ放送と端子７３５に供給する放送セグメントから情報を同時に受信し、また端子７０５を経てデータを同時に受信または送信することができる。
【０１２９】
符号化ＦＭ放送は、ＲＦ伝送ではなくケーブルなどを経て符号器７００に供給してよい。
【０１３０】
本発明の例示の実施態様やいろいろの変形を添付の図と共に詳細に説明したが、本発明はこれらの実施態様自体や説明した変形に限られるものではなく、請求の範囲に規定されている本発明の範囲と精神から逸れることなく、当業者はいろいろの変更や修正を行うことができるものである。
【図面の簡単な説明】
【０１３１】
【図１】第１図は、本発明の一実施態様の符号器のブロック図である。
【図２Ａ】第２Ａ図は、第１図の符号器と共に用いる個人用モニタのブロック図である。
【図２Ｂ】第２Ｂ図は、第１図の符号器と共に用いる個人用モニタのブロック図である。
【図２Ｃ】第２Ｃ図は、第１図の符号器と共に用いる個人用モニタのブロック図である。
【図３】第３Ａ−３Ｋ図は、第１、２Ａ、２Ｂ、２Ｃ図の実施態様を説明するのに用いる周波数使用チャートである。
【図４Ａ】第４Ａ図は、本発明の別の実施態様における符号器のブロック図である。
【図４Ｂ】第４Ｂ図は、第４Ａ図の符号器のＲＯＭを時間領域のコード信号でプログラムする装置のブロック図である。
【図４Ｃ】第４Ｃ図は、本発明の実施態様の符号化システムのブロック図である。
【図５】第５図は、本発明の別の実施態様の符号器のブロック図である。
【図６】第６図は、第５図の符号器と共に用いる個人用モニタのブロック図である。
【図７】第７図は、本発明の更に別の実施態様の符号器のブロック図である。
【図８】第８図は、第７図の符号器と共に用いる個人用モニタのブロック図である。
【図９】第９図は、本発明の更に別の実施態様の監視装置のブロック図である。
【図１】
2006197629.tif 000003
【図２Ａ】
2006197629.tif 000004
【図２Ｂ】
2006197629.tif 000005
【図２Ｃ】
2006197629.tif 000006
【図３】
2006197629.tif 000007
【図４Ａ】
2006197629.tif 000008
【図４Ｂ】
2006197629.tif 000009
【図４Ｃ】
2006197629.tif 000010
【図５】
2006197629.tif 000011
【図６】
2006197629.tif 000012
【図７】
2006197629.tif 000013
【図８】
2006197629.tif 000014
【図９】
2006197629.tif 000015